(57)【要約】【課題】    表面に表示した文字、図柄あるいは文字、図柄を記載したシートが他の部材と干渉せず、その結果表面から剥がれにくくした支持バーとこれを利用した物品の展示装置を提供することである。【解決手段】  室内の壁又は室内に起立する支持台４の表面に水平に取付けた支持バーＴと、上記支持バーＴに当該支持バーＴに対して直交する方向にフック６を介して着脱自在に取付けた物品吊り持ち用のアーム７とからなり、上記支持バーＴを横方向に連続する板本体１と、上記板本体１の上下端部に長手方向に沿って形成されて当該板本体１の厚みより大きい厚みに成形された上下一対の膨出部６Ｂ、６Ｂとで構成させ、上記フック６を上記膨出部６Ｂ、６Ｂに嵌合して上記アーム７を上記支持バーＴに連結することを特徴とする。【選択図】図１
2011147596.tif 000002
【特許請求の範囲】
【請求項１】
横方向に連続する板本体と、上記板本体の上下端部に長手方向に沿って形成されて当該板本体の厚みより大きい厚みに成形された上下一対の膨出部とで構成させたことを特徴とする支持バー。
【請求項２】
上下一対の膨出部の外面を半円状に湾曲させている請求項１の支持バー。
【請求項３】
室内の壁又は室内に起立する支持台の表面に水平に取付けた支持バーと、上記支持バーに当該支持バーに対して直交する方向にフックを介して着脱自在に取付けた物品吊り持ち用のアームとからなり、上記支持バーを横方向に連続する板本体と、上記板本体の上下端部に長手方向に沿って形成されて当該板本体の厚みより大きい厚みに成形された上下一対の膨出部とで構成させ、上記フックを上記膨出部に嵌合して上記アームを上記支持バーに連結することを特徴とする物品展示装置。
【請求項４】
フックを断面Ｃ形状又はコ字状に形成したフック本体で構成し、当該フック本体を上記膨出部の外面に回転しながら嵌合させている請求項３の物品展示装置。
【請求項５】
フックを垂直片と、この垂直片の上下部に形成した一対の半円状の引掛け部とで構成し、当該各引掛け部を上記膨出部の外面に回転しながら嵌合させている請求項３の物品展示装置。
【請求項６】
フックを垂直片と、この垂直片の上部に形成した半円状又はコ字状の引掛け部と、下部に形成した水平な引掛け部とで構成し、当該各引掛け部を上記膨出部の外面に回転しながら嵌合させている請求項２の物品展示装置。
【請求項７】
フック本体の端部又は内周に滑り止め用の突起を形成している請求項４、５又は６の物品展示装置。
【請求項８】
フックが断面Ｃ型又はコ字状のフック本体と、上記フック本体の上下いずれか一方に上下移動自在に螺合したネジ又はボルトからなり、上記フック本体を上記膨出部に嵌合した後に当該膨出部に上記ネジ又はボルトの端部を圧接させることを特徴とする請求項３の物品展示装置。
【発明の詳細な説明】
【技術分野】
【０００１】
本発明はゴルフクラブ、洋服その他の物品を展示するのに適する支持バー及びこれを利用した物品の展示装置に関する。
【０００２】
一般にデパート、ゴルフショップ等では室内の壁、又は室内の床に起立する支持台にゴルフクラブやゴルフウエア、その他のシャツ、洋服を吊り下げて販売用に展示している。
【０００３】
この場合、例えば、特許文献１に示すように、室内の壁に水平な細長い板状の支持バーを取付け、この支持バーにフック型のネジ式の結合治具を介して当該支持バーと交叉する方向に物品吊り下げ用のアームを連結し、このアームにゴルフ用のアイアン又はウッドを支持部材を介して吊り下げて展示している。
【０００４】
そして、上記の支持バーの表面には、ゴルフ道具のメーカーの名前、商標、広告文字、値段等の文字、図柄を書き込み、又はこれらの表示を記載したシートを貼り付けて宣伝している。
【０００５】
上記の支持バーは断面丸型又は楕円型のパイプを使用する場合もある。
【先行技術文献】
【特許文献】
【０００６】
【特許文献１】特開２００８−８００８０号公報（図６〜図１０、段落００２９参照）
【発明の概要】
【発明が解決しようとする課題】
【０００７】
上記の支持バーとこれを利用した物品の展示装置では機能上特に欠陥があるわけではないが、次のような不具合の改善が望まれている。
【０００８】
第１に、上記支持バーは板状、丸型又は楕円型のパイプであるため、これらの支持バーの表面に文字、図柄を直接記載し、又はこれらの文字等を記載したシートを貼り付けておくと、これらの表示をカバーする部材が存在しないため、アーム取付け用の結合治具を着脱する時この結合治具でこすれ、又は近辺の他の部材と干渉してこすれる恐れがあり、この時文字、図柄がはがれてしまう恐れがある。
【０００９】
さらに、結合治具がネジ式であるためその着脱操作が面倒であり、構造も複雑であり、操作性、経済性に劣る。
【００１０】
そこで、本発明の第１の目的は、表面に表示した文字、図柄あるいは文字、図柄を記載したシートが他の部材と干渉せず、その結果表面から剥がれにくくした支持バーとこれを利用した物品の展示装置を提供することである。
【００１１】
第２の目的は、着脱の操作性を向上させ、構造の簡素化を図った結合治具を利用した物品の展示装置を提供することである。
【課題を解決するための手段】
【００１２】
上記の目的を達成するため、本発明の支持バーの手段は、横方向に連続する板本体と、上記板本体の上下端部に長手方向に沿って形成されて当該板本体の厚みより大きい厚みに成形された上下一対の膨出部とで構成させたことを特徴とする。
【００１３】
この場合、上下一対の膨出部の外面を半円状に湾曲させているのが好ましい。
【００１４】
同じく、物品展示装置の手段は、室内の壁又は室内に起立する支持台の表面に水平に取付けた支持バーと、上記支持バーに当該支持バーに対して直交する方向にフックを介して着脱自在に取り付けた物品吊り持ち用のアームとからなり、上記支持バーを横方向に連続する板本体と、上記板本体の上下端部に長手方向に沿って形成されて当該板本体の厚みより大きい厚みに成形された上下一対の膨出部とで構成させ、上記フックを上記膨出部に嵌合して上記アームを上記支持バーに連結することを特徴とする。
【００１５】
この場合、フックを断面Ｃ形状又はコ字状に形成したフック本体で構成し、当該フック本体を上記膨出部の外面に回転しながら嵌合させているのが好ましい。
【００１６】
同じく、フックを垂直片と、この垂直片の上下部に形成した一対の半円状の引掛け部とで構成し、当該各引掛け部を上記膨出部の外面に回転しながら嵌合させても良い。
【００１７】
同じく、フックを垂直片と、この垂直片の上部に形成した半円状又はコ字状の引掛け部と、下部に形成した水平な引掛け部とで構成し、当該各引掛け部を上記膨出部の外面に回転しながら嵌合させても良い。
【００１８】
更に、この場合、フック本体の端部又は内周に滑り止め用の突起を形成しているのが好ましい。
【００１９】
更に、フックが断面Ｃ型又はコ字状のフック本体と、上記フック本体の上下いずれか一方に上下移動自在に螺合したネジ又はボルトからなり、上記フック本体を上記膨出部に嵌合した後に当該膨出部に上記ネジ又はボルトの端部を圧接させるようにしても良い。
【発明の効果】
【００２０】
各請求項の発明によれば次の効果を達成できる。
【００２１】
１  請求項１、２の発明によれば、支持バーは板本体の上下端部に板本体の厚みより大きい厚みに形成した上下一対の膨出部を備えているのでこの支持バーに他の部材が挿入されたり当たってもこの他の部材は膨出部の外周をスライドしたり膨出部の外周に衝突するだけで板本体の表面をこすったり当たったりしない。従って、この板本体の表面に記載したり貼り付けた文字、図柄等には他の部材が接触せず、これらの文字、図柄がこすれて削り落とされたり剥がされたりするのが防止できる。
【００２２】
２  請求項３、４、５、６、７の発明によれば、支持バーは板本体の上下端部に板本体の厚みより大きい厚みに形成した上下一対の膨出部を備えているのでこの支持バーにアーム吊り持ち用のフック又は他の部材が挿入されたり当たってもこのフック又は他の部材は膨出部の外周をスライドしたり膨出部の外周に衝突するだけで板本体の表面をこすったり当たったりしない。従って、この板本体の表面に記載したり貼り付けた広告、商標等の文字、図柄にはフック又は他の部材が接触せず、これらの文字、図柄がこすれて削り落とされたり剥がされたりするのが防止できる。
【００２３】
３  請求項４、５、６の発明によれば、フックを回転しながら膨出部の外面に嵌合させているので取付け、取り外しの操作がワンタッチで行え、操作性の向上を図れる。
【００２４】
特に、フックを断面Ｃ型状に形成したり、上下の一方又は両方に半円状の引掛け部を形成した場合は、このフックをスムースに回転でき、フックの着脱操作をより一層スムースに行える。
【００２５】
４  請求項７の発明によれば、フック本体が滑り止め用の突起を備えているので、フックを支持バーに嵌合させた時戻り方向の回転が阻止され、フックの外れを防止できる。
【００２６】
５  請求項８の発明によれば、フック自体がネジ又はボルトで締結されているのでフッ自体の戻り方向の回転が阻止され、フックをより確実に保持できる。
【図面の簡単な説明】
【００２７】
【図１】本発明の一実施の形態に係わる物品展示装置の斜視図である。
【図２】図１の一部拡大斜視図である。
【図３】本発明一実施の形態に係わる支持バーの斜視図である。
【図４】本発明の一実施の形態に係わるフックを支持バーに取付ける状態を示す一部拡大縦断側面図である。
【図５】図４フックを支持バーに取付けた状態を示す一部拡大縦断側面図である。
【図６】本発明の他の実施の形態に係わるフックを支持バーに取付けた状態を示す一部拡大縦断側面図である。
【図７】本発明のさらに別の実施の形態に係わるフックを支持バーに取付けた状態を示す一部拡大縦断側面図である。
【図８】本発明のさらに別の実施の形態に係わるフックを支持バーに取付けた状態を示す一部拡大縦断側面図である。
【図９】本発明のさらに別の実施の形態に係わるフックを支持バーに取付けた状態を示す一部拡大縦断側面図である。
【発明を実施するための形態】
【００２８】
以下本発明の実施の形態を図に基づいて説明する。
【００２９】
本発明に係わる展示装置等に使用される支持バーは図３に示すように、横方向に連続する板本体１と、上記板本体１の上下端部に長手方向に沿って形成されて当該板本体１の厚みより大きい厚みに成形された上下一対の膨出部２、３とで構成させている。
【００３０】
この場合、上下一対の膨出部２、３の外面を半円状に湾曲させているが断面を例えばＨ型に形成しても良い。
【００３１】
そして、板本体１の表面には文字、図柄からなる広告、商標とが直接記載され、あるいは図柄を記載したシートＡ又は文字を記載した他のシートＢを貼り付けている。
【００３２】
この支持バーＴは板本体１の上下端部に板本体１の厚みより大きい厚みに形成した上下一対の膨出部２３を備えているのでこの支持バーに他の部材が挿入されたり当たってもこの他の部材は膨出部の外周をスライドしたり膨出部２、３の外周に衝突するだけで板本体１の表面をこすったり当たったりしない。
【００３３】
従って、この板本体１の表面に記載したり貼り付けた文字、図柄等には他の部材が接触せず、これらの文字、図柄がこすれて削り落とされたり剥がされたりするのが防止できる。
【００３４】
以下上記の支持バーＴを利用した物品の展示装置の実施の形態を説明する。
【００３５】
図１はゴルフクラブの販売に適するゴルフクラブの展示装置Ｐを示す。
【００３６】
これは、ゴルフショップの室内の壁又は室内に起立する支持台４の表面に取付け金具５を介して水平に取付けた支持バーＴと、上記支持バーＴに当該支持バーＴに対して直交する方向にフック６を介して着脱自在に取付けたクラブ吊り持ち用のアーム７とからなっている。
【００３７】
上記支持バーＴは上記のように、横方向に連続する板本体１と、上記板本体１の上下端部に長手方向に沿って形成されて当該板本体１の厚みより大きい厚みに成形された上下一対の膨出部２、３とで構成させ、上記フック６を上記膨出部２、３に嵌合して上記アーム７を上記支持バーＴに連結したものである。
【００３８】
アーム７には一つ又は複数の取付具８を挿入し、この取付具８にゴルフ用アイアンクラブＫ又はウッドクラブを吊り下げて当該クラブを展示するようにしているものである。
【００３９】
この場合、フック６を断面Ｃ形状又はコ字状に形成したフック本体で構成し、当該フック本体を上記膨出部の外面に回転しながら嵌合させているのが好ましい。
【００４０】
より具体的には、図４、図５の実施の形態に示すように、フック６を垂直片６Ａと、この垂直片６Ａの上下部に形成した一対の半円状の引掛け部６Ｂ、６Ｂとで構成し、当該各引掛け部６Ｂ、６Ｂを上記膨出部２、３の外面に回転しながら嵌合させている。
【００４１】
この場合、図４に示すように、まず上部に引掛け部６Ｂを上部の膨出部２に引っ掛け、次いでアーム７を図４において反時計方向に回転しながら下部の引掛け部６Ｂを下部の膨出部３に嵌合させる。
【００４２】
この際、膨出部２、３の外面が彎曲しており、引掛け部６Ｂ、６Ｂも彎曲しているので抵抗無くスムースに両者を嵌合できる。
【００４３】
図６、図７、図８は他に実施の形態に係わるフックを示す。
【００４４】
これは、フック６を垂直片６Ａと、この垂直片６Ａの上部に形成した半円状の引掛け部６Ｂ又はコ字状の引掛け部６Ｄと、下部に形成した水平な引掛け部６Ｃとで構成し、各上部の引掛け部６Ｂ又は６Ｄを上部の膨出部２の外面に回転しながら嵌合させ、水平な引掛け部６Ｃを下部の膨出部３に係合させている。操作手順は図４の場合と同じである。
【００４５】
図６、図７に示すように、フック本体の端部又は内周に滑り止め用の突起９を形成しても良い。
【００４６】
図９は本発明のフックの他の実施の形態を示す。
【００４７】
これはフック６が断面Ｃ型又はコ字状のフック本体と、上記フック本体の上下いずれか一方に上下移動自在に螺合したネジ又はボルト１０からなり、上記フック本体を上記膨出部２、３の外面に嵌合した後に当該膨出部３に上記ネジ又はボルト１０の端部を圧接させてフック６を締結するものである。
【００４８】
フック６は図４と同じく回転しながら支持バーＴ嵌合しても良く、横方向からスライドして差し込んでも良い。
【００４９】
上記の各フックの実施の形態にでは、フック６を回転しながら膨出部２、３の外面に嵌合させているので取付け、取り外しの操作がワンタッチで行え、操作性の向上を図れる。
【００５０】
特に、フック６を断面Ｃ型状に形成したり、上下の一方又は両方に半円状の引掛け部６Ｂを形成した場合は、このフック６をスムースに回転でき、フック６の着脱操作をより一層スムースに行える。
【００５１】
又、フック本体が滑り止め用の突起９を備えておけば、フック６を支持バーＴに嵌合させた時戻り方向の回転が阻止され、フック６の外れを防止できる。
【００５２】
図９の実施の形態のように、フック６自体がネジ又はボルト１０で締結されているのでフック６自体の戻り方向の回転が阻止され、フック６をより確実に保持できる。
【符号の説明】
【００５３】
Ｔ        支持バー
１        板本体
２、３    膨出部
４        支持台
６        フック
６Ａ      垂直片
６Ｂ      引掛け部
６Ｃ      水平片
７        アーム
８        取付具
９        突起
１０      ボルト
Ｔ        支持バー
Ｋ        ゴルフクラブ
Ｐ        展示装置
【図１】
2011147596.tif 000003
【図２】
2011147596.tif 000004
【図３】
2011147596.tif 000005
【図４】
2011147596.tif 000006
【図５】
2011147596.tif 000007
【図６】
2011147596.tif 000008
【図７】
2011147596.tif 000009
【図８】
2011147596.tif 000010
【図９】
2011147596.tif 000011